(57)【要約】【目的】植樹に際して樹木を安定保持せしめるために使用する植樹安定装置を提供する。【構成】樹木の根鉢の底部ほぼ中央部に位置する台座部から放射方向にアームを延設した植樹安定装置において、前記アームは、節部と溝部を長手方向に交互に配置した剛性の長尺部材により構成されている。従って、根鉢をベルト等の保持条片により縛りつける際に、該保持条片の係止部がアームの溝部に係止する。また、アームに搭載した起伏自在な支持部材により根鉢を支持せしめ、該支持部材に連結した牽引条片により根鉢を縛りつける場合、アームを上下からクランプする支持部材の枢軸部と挟持部の少なくとも一方がアームの溝部に係止する。【選択図】　　　　図１
2004065057.tif 000002
【特許請求の範囲】
【請求項１】
樹木の根鉢の底部ほぼ中央部に位置する台座部から放射方向にアームを延設した植樹安定装置において、
前記アーム５は、節部６と溝部７を長手方向に交互に配置した剛性の長尺部材により構成され、
台座部を囲んでループ状に構成されたベルト等から成る保持条片１１をアーム５の下側に配置し、該保持条片１１により、アームの下側に位置する係止部１１ａと、相互に隣り合うアームの間に位置する保持部１１ｂとを構成せしめ、
樹木を囲んでループ状に構成されたベルト等から成る締結条片１２を根鉢の上部に配置すると共に、該締結条片の一部に、該緊締条片のループを縮小可能とする緊締手段１４を設けた構成とされ、
根鉢を抱持するように起立せしめた保持条片１１の保持部１１ｂに締結条片１２を挿通係止せしめた状態で、緊締手段１４を介して締結条片１２のループを縮小せしめることにより保持条片１１を緊締せしめ、保持条片１１の保持部１１ｂを根鉢の表面に圧接せしめると共に、保持条片１１の係止部１１ａをアーム５の溝部７に係止するように構成して成ることを特徴とする植樹安定装置。
【請求項２】
樹木の根鉢の底部に配置される台座部から放射方向にアームを延設し、該アームに搭載した支持部材により根鉢を底部から側部にかけて支持すると共に、該支持部材に連結したベルト等から成る牽引条片を根鉢の上部に掛け渡して締結せしめる植樹安定装置において、
前記アーム５は、節部６と溝部７を長手方向に交互に配置した剛性の長尺部材により構成され、
前記支持部材１９は、アームの下側に遊動自在に配置された回動支点を構成する枢軸部２０と、該枢軸部よりもアームの中心方向内側に偏位してアームの上側に遊動自在に配置された挟持部２７と、該枢軸部よりもアームの延長方向外側に偏位してアームの上側に配置された起伏部２６と、該起伏部の起伏端近傍部に設けられた連結環２３とを備えた構成とされており、
支持部材１９の連結環２３に連結した牽引条片３３を根鉢の上部において締結することにより起伏部２６を牽引せしめ、枢軸部２０を支点として起伏部２６を起立せしめたとき、枢軸部２０がアームの下面に圧接せしめられると共に挟持部２７がアームの上面に圧接せしめられ、枢軸部２０と挟持部２７の少なくとも一方をアーム５の溝部７に係止するように構成して成ることを特徴とする植樹安定装置。
【発明の詳細な説明】
【０００１】
【発明の属する技術分野】
本発明は、植樹に際して樹木を安定保持せしめるために使用する植樹安定装置に関する。
【０００２】
【従来の技術】
従来、樹木を植付ける際には、強風等に耐え得るようにするため、掘削した植付け穴の底部に植樹安定装置を設置し、その上に樹木の根鉢を載置すると共に、根鉢を植樹安定装置に縛りつけ、その後に、植付け穴を埋め戻すことが行われている。
【０００３】
このような植樹安定装置は、種々のものが公知であり、通常、枠組形成された金属製のアームの上に根鉢を載置した状態で、アームに係止した係止環にベルト等の緊締条片を連結すると共に根鉢の肩部に掛け渡し、これにより根鉢をアームに縛りつけている。
【０００４】
一般的に、係止環は、アームに外挿せしめられる矩形枠状の環状金具により構成されており、ベルト等の緊締条片を該環状金具に挿通せしめると共に根鉢の肩部に掛け渡し、ウインチ等の締結手段により締結し、根鉢をアームに縛りつけている。
【０００５】
【発明が解決しようとする課題】
従来技術の場合、アームは金属製の丸パイプ又は角パイプにより形成され、係止環はアームに遊動自在に外挿される環状金具から構成されている。従って、環状金具は、アームの長手方向に対して自由に移動可能であり、これにより、根鉢が大小寸法を相違しても対応容易となるように構成されている。
【０００６】
そこで、根鉢をアームに縛りつけるに際し、根鉢をアームに載置した状態で、環状金具を根鉢の大きさに応じた位置に来るようにアーム上で移動させた後、ベルト等の緊締条片を環状金具に挿通せしめ、根鉢の上部において締結すれば、緊締条片により環状金具が上向きに牽引されつつアームの周面に係止される。
【０００７】
然しながら、緊締条片を締結したとき、全ての環状金具が必ずしもアームに対して、所望の姿勢で所望の位置に固定されるとは限らない。即ち、環状金具がアームの長手方向に対して所望の位置よりも位置ずれしていたり、直立姿勢でなく捻じれた姿勢とされている場合でも、緊締条片の締結により環状金具を牽引すると、環状金具は、アームに圧接せしめられ、一応、固定される。
【０００８】
ところが、このような場合、植樹を終えた後に、環状金具がアームの長手方向に移動する虞れがあり、もしも、環状金具が僅かでも移動すると、折角締結したはずの緊締条片が弛んでしまい、植樹安定装置の本来の役割を果たさないという問題がある。
【０００９】
【課題を解決するための手段】
本発明は、上記の問題点に鑑み、節部と溝部を交互に配置した剛性の長尺部材によりアームを構成することにより、上記課題を解決した植樹安定装置を提供するものである。
【００１０】
そこで、本発明が第一の手段として構成したところは、樹木の根鉢の底部ほぼ中央部に位置する台座部から放射方向にアームを延設した植樹安定装置において、前記アームは、節部と溝部を長手方向に交互に配置した剛性の長尺部材により構成され、台座部を囲んでループ状に構成されたベルト等から成る保持条片をアームの下側に配置し、該保持条片により、アームの下側に位置する係止部と、相互に隣り合うアームの間に位置する保持部とを構成せしめ、樹木を囲んでループ状に構成されたベルト等から成る締結条片を根鉢の上部に配置すると共に、該締結条片の一部に、該緊締条片のループを縮小可能とする緊締手段を設けた構成とされ、根鉢を抱持するように起立せしめた保持条片の保持部に締結条片を挿通係止せしめた状態で、緊締手段を介して締結条片のループを縮小せしめることにより保持条片を緊締せしめ、保持条片の保持部を根鉢の表面に圧接せしめると共に、保持条片の係止部をアームの溝部に係止するように構成して成る点にある。
【００１１】
また、本発明が第二の手段として構成したところは、樹木の根鉢の底部に配置される台座部から放射方向にアームを延設し、該アームに搭載した支持部材により根鉢を底部から側部にかけて支持すると共に、該支持部材に連結したベルト等から成る牽引条片を根鉢の上部に掛け渡して締結せしめる植樹安定装置において、前記アームは、節部と溝部を長手方向に交互に配置した剛性の長尺部材により構成され、前記支持部材は、アームの下側に遊動自在に配置された回動支点を構成する枢軸部と、該枢軸部よりもアームの中心方向内側に偏位してアームの上側に遊動自在に配置された挟持部と、該枢軸部よりもアームの延長方向外側に偏位してアームの上側に配置された起伏部と、該起伏部の起伏端近傍部に設けられた連結環とを備えた構成とされており、支持部材の連結環に連結した牽引条片を根鉢の上部において締結することにより起伏部を牽引せしめ、枢軸部を支点として起伏部を起立せしめたとき、枢軸部がアームの下面に圧接せしめられると共に挟持部がアームの上面に圧接せしめられ、枢軸部と挟持部の少なくとも一方をアームの溝部に係止するように構成して成る点にある。
【００１２】
【発明の実施の形態】
以下図面に基づいて本発明の好ましい実施形態を詳述する。
【００１３】
（第１実施形態）
図１及び図２は、本発明に係る植樹安定装置の第１実施形態を示している。
【００１４】
図１に示すように、植樹安定装置は、樹木１の根鉢２の底部ほぼ中央部に位置する座板３により形成された台座部４から放射方向にアーム５を延設することにより構成されている。図例の場合、正方形等の矩形の座板３に対して、２本１組の棒材５ａ、５ｂから成るアーム５を溶接等により固着すると共に４方に向けて延設せしめているが、座板３を省略し、アーム５を井桁状に枠組みすることにより中央部に台座部４を構成しても良い。
【００１５】
各アーム５を構成する棒材５ａ、５ｂは、それぞれ節部６と溝部７を長手方向に交互に配置した剛性の長尺部材により構成されており、例えば、異径鋼棒により形成することができる。
【００１６】
各アーム５の延長端部には、安定板８が着脱自在に取付けられている。安定板８は、取付座９を介して一対のスリーブ１０、１０を溶接等により固着しており、アーム５における棒材５ａ、５ｂの自由端をスリーブ１０、１０に挿脱自在に挿入すると共に、図示省略したセットボルト等の固定手段により固定される。
【００１７】
このように構成されたアーム５に対して根鉢２を縛りつけ固定するためには、保持条片１１と締結条片１２が使用される。
【００１８】
保持条片１１は、図１に示すように、例えば、ポリエステルベルト等の帯状又はテープ状の柔軟且つ強靱なベルトから形成され、連結具１２によりエンドレスのループ状に構成される。連結具１３は、ベルト用バックル等の環状金具から成り、保持条片１１のループ径を調節自在として固定する。
【００１９】
締結条片１２は、図２に示すように、例えば、ポリエステルベルト等の帯状又はテープ状の柔軟且つ強靱なベルトから形成され、緊締手段１４によりエンドレスのループ状に構成される。緊締手段１４は、締結条片１２のループを縮小可能とするものであり、ベルト用バックル等の環状金具により構成しても良いが、ウインチ等の強力な締結機構を備えていることが好ましい。
【００２０】
そこで、図１に示すように、ループ状の保持条片１１を台座部４を囲むようにしてそれぞれのアーム５の下側に配置する。これにより、保持条片１１は、各アーム５の下側に位置する係止部１１ａと、相互に隣り合うアーム５、５の間に位置する保持部１１ｂを構成する。
【００２１】
この状態で、図１に鎖線で示すように、樹木の根鉢２を台座部４を含んでアーム５の上に載置した後、図２に示すように、保持条片１１の保持部１１ｂを根鉢２を抱持するようにして起立せしめる。このようにして起立された各保持部１１ｂに対して、締結条片１２を挿通せしめると共に、締結条片１２の両端を緊締手段１４によりループ状に連結する。
【００２２】
引き続いて、緊締手段１４を介して締結条片１２のループを縮小するように締結すると、保持部１１ｂを上向きに強く牽引することにより、保持条片１１が根鉢２の周面に圧接せしめられ、同時に根鉢２がアーム５に対して強く縛りつけられる。
【００２３】
この際、保持条片１１の係止部１１ａは、アーム５（棒材５ａ、５ｂ）の溝部７に食い込み、溝部７を挟んで配置された節部６に係止される。従って、締結中及び締結後の何れにおいても、保持条片１１の係止部１１ａは、アーム５の長手方向に移動する虞れは全くない。
【００２４】
（第２実施形態）
図３ないし図６は、本発明に係る植樹安定装置の第２実施形態を示しているが、台座部４及びアーム５の構成は、上記の第１実施形態と同様であるから、同一構成部分には同一符号を記載し、上記の説明を援用する。
【００２５】
台座部４を構成する座板３の中央には孔１５が設けられており、該孔１５を介してほぼＬ形に形成されたアンカー１６を土中に打ち込み自在となるように構成されている。尚、アンカー１６は、異径鋼棒により形成することが好ましく、軸方向に対して交互に節部１７と溝部１８を配置し、先端（下端）に尖鋭部１９を形成している。
【００２６】
各アーム５には、根鉢２を底部から側部にかけて支持するための支持部材１９が搭載されている。
【００２７】
図４に示すように、支持部材１９は、枢軸部２０を備えた枠部材２１と、該枠部材２１に対して前記枢軸２０と平行な連結軸２２を介して回動自在に連結された連結環２３と、枠部材２１と連結環２３の間に架設された湾曲部材２４とから構成されている。
【００２８】
図７に示すように、枠部材２１は、枢軸部２０をアーム５の下側を横断し且つアーム５の長手方向に遊動自在に配置しており、該枢軸部２０の左右両端部から、アーム５の中心方向内側に向けてアーム５の上方に延びる受部２５と、アームの延長方向外側に延びる起伏部２６とを備え、受部２５と起伏部２６を相互に上向きに屈折せしめた構成とされている。左右一対の受部２５、２５には挟持部２７が架設されており、該挟持部２７は、枢軸部２０よりもアーム５の中心方向内側に位置してアーム５の上側に遊動自在に配置されている。また、左右一対の起伏部２６、２６には連結軸２２の内軸２８が架設されており、該内軸２８と枢軸部２０の間に位置して支持軸２９が平行に架設されている。
【００２９】
連結環２３は、枠部材２１における前記内軸２８に回転自在に外挿された筒状の連結軸２２に溶接等により固着された矩形枠体を構成し、連結軸２２よりも上方位置に梯子状の横架材３０を架設することにより、最上位に後述する牽引索条を連結するための連結部３１を形成している。
【００３０】
湾曲部材２４は、先端を枠部材２１の挟持部２７に溶接等により固着され、該固着個所から凹曲しながら連結環２３の横架材３０に向けて延びる複数の受杆３２を構成し、受杆３２の上端を相互に連結することによりほぼ門形に形成されている。尚、受杆３２は、弾性変形可能なスプリング鋼により形成することが好ましい。
【００３１】
支持部材１９は、図５（Ａ）及び図５（Ｂ）に示すように、枢軸部２０をアーム５の下側に位置せしめ、挟持部２７及び支持軸２９をアーム５の上側に位置せしめられており、枠部材２１をアーム５の長手方向に移動自在とされている。従って、支持部材１９の位置は、自由に調整可能である。
【００３２】
支持部材１９をアーム５の所定位置に設置した状態で、根鉢２を載置すると、内側に向けて上向き傾斜姿勢とされていた枠部材２１の受部２５と、湾曲部材２４の受杆３２が、図５（Ｂ）に示すように、下向きに回動せしめられる。このとき、挟持部２７と枢軸部２０がアーム５の上面と下面に圧接されアーム５を上下からクランプするので、支持部材１９の摺動が阻止される。特に、枠部材２１の挟持部２７と枢軸部２０は、アーム５（棒材５ａ、５ｂ）の溝部７に嵌合することにより係止される構成のため、支持部材１９をアーム５の長手方向に移動不能となるように固定する。尚、図例の場合、挟持部２７と枢軸部２０の両者がそれぞれ溝部７に嵌合せしめられる構成としているが、挟持部２７と枢軸部２０の何れか一方が溝部７に嵌合するように構成しておけば良い。
【００３３】
そこで、図５（Ｂ）及び図６に示すように、ポリエステルベルト等の帯状又はテープ状の柔軟且つ強靱なベルトから形成された牽引条片３３を連結環２３の連結部３１に挿通せしめると共に、根鉢２の上部に設けたループ状の締結条片１２ａに連結し、ウインチ等の緊締手段１４ａで締結条片１２ａを締結することにより、牽引条片３３を引き上げると、連結環２３が連結軸２２を介して回動起立しつつ、湾曲部材２４を更に凹曲せしめるように弾性変形せしめ、根鉢２の底面から側面にかけて沿うように湾曲せしめられた湾曲部材２４により根鉢２を好適に保持する。
【００３４】
この状態で、弾性変形された湾曲部材２４は、復元力を蓄積しているので、そのスプリング力により牽引条片３３を緊締状態に保持する。
【００３５】
【発明の効果】
本発明によれば、アーム５が節部６と溝部７を長手方向に交互に配置した剛性の長尺部材により形成されているので、従来技術のように、根鉢を縛りつけた条片が植樹の後に弛んでしまう虞れはなく、植樹安定装置の機能を確実に果たすことができる。
【００３６】
即ち、請求項１に記載の本発明によれば、根鉢２を抱持締結した保持条片１１の係止部１１ａがアーム５の溝部７に食い込み、溝部７を挟んで配置された節部６に係止されるので、締結中及び締結後の何れにおいても、係止部１１ａをアーム５の長手方向に移動せしめる虞れがなく、これにより保持条片１１の弛み発生を好適に阻止することができる。
【００３７】
また、請求項２に記載の本発明によれば、アーム５を上下からクランプする支持部材１９の枢軸部２０と挟持部２７の少なくとも一方がアーム５の溝部７に嵌合係止し、支持部材１９をアーム５の長手方向に対して移動不能に固定するので、締結した牽引条片２４ａが後に弛む虞れはないという効果がある。
【図面の簡単な説明】
【図１】本発明の第１実施形態の全体を示す斜視図である。
【図２】第１実施形態の作用を示す斜視図である。
【図３】本発明の第２実施形態を一部破断して示す斜視図である。
【図４】第２実施形態の要部を拡大して示す斜視図である。
【図５】第２実施形態の作用を示しており、（Ａ）は根鉢を載置する前の状態を断面にて示す側面図、（Ｂ）は根鉢を載置した状態を断面にて示す側面図である。
【図６】植付け孔の内部において第２実施形態により根鉢を締結した状態を示す断面図である。
【符号の説明】
２　　根鉢
４　　台座部
５　　アーム
５ａ、５ｂ　棒材
６　　節部
７　　溝部
１１　　保持条片
１１ａ　係止部
１１ｂ　保持部
１２、１２ａ　締結条片
１４、１４ａ　緊締手段
１９　　支持部材
２０　　枢軸部
２１　　枠部材
２２　　連結軸
２３　　連結環
２４　　湾曲部材
２７　　挟持部
３３　　牽引条片
【図１】
2004065057.tif 000003
【図２】
2004065057.tif 000004
【図３】
2004065057.tif 000005
【図４】
2004065057.tif 000006
【図５】
2004065057.tif 000007
【図６】
2004065057.tif 000008